(57)【要約】【課題】シートスルー読取り方式において、原稿の両面の画像を効率的に読み取り可能にするとともに、装置の大型化やコストアップを回避できる画像読取り装置を得る。【解決手段】原稿給送部１０と原稿搬送部２０と原稿排紙部３０と、画像読取り手段４１，４５と、これらを取り付けた筐体５とで構成し、原稿載置台５０上に搭載した画像読取り装置。搬送部２０を搬送される原稿は読取り手段４１にて第１面の画像を読み取られ、読取り手段４５にて第２面の画像が読み取られる。読取り手段４５はホームポジションＰ１から矢印Ａ方向に水平移動可能であり、移動することによって原稿載置台５０上に手置きされた原稿の画像を読み取る。【選択図】図１
2008048190.tif 000002
【特許請求の範囲】
【請求項１】
積載された複数枚の原稿を１枚ずつ給送する原稿給送手段と、
給送された原稿を所定の経路で搬送する原稿搬送手段と、
搬送されている原稿の第１面及び第２面の画像をそれぞれ読み取るための、少なくとも一つが移動可能に設置された複数の画像読取り手段と、
画像を読み取られた原稿を排出して積載する排紙積載手段と、
前記各構成手段を取り付けた筐体と、を備え、
前記複数の画像読取り手段は前記筐体内に取り付けられており、
移動可能に設置された画像読取り手段は移動することによって原稿載置台上に載置された原稿の画像を読み取り、読取り時の移動経路と前記排紙積載手段の排紙経路とが交差していること、
を特徴とする画像読取り装置。
【請求項２】
移動可能に設置された画像読取り手段に対して、該画像読取り手段の近傍に配置された通紙ガイド部材が一体的に移動可能に取り付けられていることを特徴とする請求項１に記載の画像読取り装置。
【請求項３】
積載された複数枚の原稿を１枚ずつ給送する原稿給送手段と、
給送された原稿を所定の経路で搬送する原稿搬送手段と、
搬送されている原稿の第１面及び第２面の画像をそれぞれ読み取るための、少なくとも一つが移動可能に設置された複数の画像読取り手段と、
画像を読み取られた原稿を排出して積載する排紙積載手段と、
前記各構成手段を取り付けた筐体と、を備え、
前記複数の画像読取り手段は前記筐体内に取り付けられており、
移動可能に設置された画像読取り手段は原稿載置台とほぼ平行な面に対してほぼ１８０°反転可能であり、ほぼ１８０°反転した状態で移動することによって原稿載置台上に載置された原稿の画像を読み取ること、
を特徴とする画像読取り装置。
【請求項４】
前記筐体は、前記原稿載置台上に載置された原稿の押さえ部材を備え、かつ、原稿載置台に対して開閉可能に設置されたことを特徴とする請求項１ないし請求項３のいずれかに記載の画像読取り装置。
【請求項５】
前記原稿押さえ部材は透明材からなることを特徴とする請求項４に記載の画像読取り装置。
【発明の詳細な説明】
【技術分野】
【０００１】
本発明は、画像読取り装置、特に、原稿を走査してその画像を光学的に読み取る画像読取り装置に関する。
【背景技術】
【０００２】
通常、電子写真法による複写機やプリンタなどの画像形成装置に搭載される画像読取り装置は、原稿載置台上に手置きされた原稿の画像を読み取る読取り手段（手置き原稿読取り方式）、及び、原稿を１枚ずつ搬送しながら画像を読み取る読取り手段（シートスルー読取り方式）を備えている。
【０００３】
ところで、シートスルー読取り方式で両面に画像を有する原稿を読み取る際に、読取り手段が一つだけ設置されている場合では、１回目の原稿搬送で第１面の画像を読み取った後、原稿を反転させ、２回目の原稿搬送で第２面の画像を読み取る必要がある。しかし、これでは両面の画像読取り時間が長くなってプリント生産性を大きく低下させてしまう。
【０００４】
そこで、特許文献１では、シートスルー読取り方式に関して、二つの読取り手段を設けて１回の原稿搬送で第１面及び第２面の画像を同時に読み取ることでプリント生産性を向上させることを提案している。しかし、この両面画像読取り装置では、搬送される原稿の第１面を読み取る読取り手段を原稿搬送装置の筐体内に設ける一方、手置き原稿又はブック原稿を読み取るための読取り手段を別の筐体内に設けている。即ち、二つの読取り手段が別々の筐体に設けられているため、装置全体が大型化するとともに、コストが上昇するという問題点を有している。
【特許文献１】特開平４−５１０５１号公報
【発明の開示】
【発明が解決しようとする課題】
【０００５】
そこで、本発明の目的は、シートスルー読取り方式において、複数の読取り手段を設けて原稿の両面の画像を効率的に読み取ることを可能にするとともに、装置の大型化やコストアップを回避できる画像読取り装置を提供することにある。
【課題を解決するための手段】
【０００６】
以上の目的を達成するため、第１の発明に係る画像読取り装置は、
積載された複数枚の原稿を１枚ずつ給送する原稿給送手段と、
給送された原稿を所定の経路で搬送する原稿搬送手段と、
搬送されている原稿の第１面及び第２面の画像をそれぞれ読み取るための、少なくとも一つが移動可能に設置された複数の画像読取り手段と、
画像を読み取られた原稿を排出して積載する排紙積載手段と、
前記各構成手段を取り付けた筐体と、を備え、
前記複数の画像読取り手段は前記筐体内に取り付けられており、
移動可能に設置された画像読取り手段は移動することによって原稿載置台上に載置された原稿の画像を読み取り、読取り時の移動経路と前記排紙積載手段の排紙経路とが交差していること、
を特徴とする。
【０００７】
第１の発明に係る画像読取り装置において、両面に画像を有する原稿は１回の搬送途中で第１面及び第２面の画像をそれぞれの画像読取り手段によって読み取られる。即ち、１回の原稿搬送で両面の画像を効率よく読み取ることができ、プリントの生産性が向上する。しかも、複数の画像読取り手段は単一の筐体内に取り付けられているため、装置全体の大型化、コストアップを回避することができる。そして、移動可能に設置された画像読取り手段は搬送原稿の排紙積載手段の排紙経路と交差する方向に移動して原稿載置台上に載置された手置き原稿の画像を読み取るため、従来の手置き原稿の読取りと同様の移動方向で、かつ、水平に移動して画像を読み取ることができる。
【０００８】
第１の発明に係る画像読取り装置においては、移動可能に設置された画像読取り手段に対して、該画像読取り手段の近傍に配置された通紙ガイド部材が一体的に移動可能に取り付けられていてもよい。手置き原稿の画像の読取り時に読取り手段の移動を支障なく行うことができる。
【０００９】
第２の発明に係る画像読取り装置は、
積載された複数枚の原稿を１枚ずつ給送する原稿給送手段と、
給送された原稿を所定の経路で搬送する原稿搬送手段と、
搬送されている原稿の第１面及び第２面の画像をそれぞれ読み取るための、少なくとも一つが移動可能に設置された複数の画像読取り手段と、
画像を読み取られた原稿を排出して積載する排紙積載手段と、
前記各構成手段を取り付けた筐体と、を備え、
前記複数の画像読取り手段は前記筐体内に取り付けられており、
移動可能に設置された画像読取り手段は原稿載置台とほぼ平行な面に対してほぼ１８０°反転可能であり、ほぼ１８０°反転した状態で移動することによって原稿載置台上に載置された原稿の画像を読み取ること、
を特徴とする。
【００１０】
第２の発明に係る画像読取り装置においても、１回の原稿搬送で両面の画像を効率よく読み取ることができ、装置全体の大型化、コストアップを回避することができる。そして、移動可能に設置された画像読取り手段はほぼ１８０°反転可能とすることで、シートスルー読取り方式では例えば上方に向いていた読取り手段を下向きに反転させ、従来の手置き原稿の読み取りと同様の移動方向で、かつ、水平に移動して画像を読み取ることができる。
【００１１】
ところで、筐体は手置き原稿の載置台に対して開閉可能に設置される。従って、筐体は原稿載置台上に載置された原稿の押さえ部材を備えていることが好ましい。この場合、移動可能に設置された画像読取り手段にて押さえ部材を介して手置き原稿を読み取ることができるように、原稿押さえ部材は透明材からなることが好ましい。
【発明を実施するための最良の形態】
【００１２】
以下、本発明に係る画像読取り装置の実施例について、添付図面を参照して説明する。なお、以下に説明する各実施例を示す図面において、同じ部材、部分には共通する符号を付し、重複する説明は省略する。
【００１３】
（第１実施例、図１〜図３参照）
図１に、本発明に係る画像読取り装置の第１実施例の概略構成を示す。この画像読取り装置１Ａは、電子写真法による複写機にいわゆるスキャナとして搭載されるもので、概略、原稿給送部１０と、原稿搬送部２０と、原稿排紙部３０と、画像読取り手段４１，４５と、これらを取り付けた筐体５とで構成され、原稿載置台５０上に搭載されている。
【００１４】
原稿給送部１０は、複数枚の原稿を載置可能な給紙トレイ１１と、該トレイ１１上に載置された原稿を最上層から取り出すためのピックアップローラ１２と、該ピックアップローラ１２により給紙トレイ１１から取り出された原稿を１枚ずつに捌く捌きローラ１３とで構成されている。原稿搬送部２０は、原稿搬送ローラ２１とその周囲に配置された通紙ガイド部材２２，２３とで構成されている。原稿排出部３０は、排紙ローラ３１と排紙トレイ３２（筐体５の一部）とで構成されている。
【００１５】
画像読取り手段４１は、例えばＣＣＤラインセンサであり、搬送経路上に設置され、捌きローラ１３の直後で原稿の第１面（トレイ１１に積載された状態の原稿の上面）の画像を読み取る。いま一つの画像読取り手段４５は、例えばＣＣＤラインセンサであり、通紙ガイド部材２３に設置され、搬送ローラ２１を通じて反転された原稿の第２面（トレイ１１に積載された状態の原稿の下面）の画像を読み取る。
【００１６】
以上の構成において、給紙トレイ１１上に積載された原稿は、１枚ずつ給送されて搬送ローラ２１によって搬送され、搬送途中において第１面の画像が読取り手段４１によって読み取られ、さらに、第２面の画像が読取り手段４５によって読み取られ、トレイ３２上に排出される。即ち、シートスルー読取り方式において、１回の原稿搬送で両面の画像を効率よく読み取ることができ、プリントの生産性が向上する。
【００１７】
一方、画像読取り装置１Ａは、図２に示すように、複写機本体の天板として構成されている原稿載置台５０に対してヒンジ部材５１を支点として開放可能に設置されており、原稿載置台５０上に手置きされた原稿の画像を読取り手段４５にて読取り可能としている。この場合、原稿は原稿載置台５０上に読み取るべき画像面を上方に向けて載置され、かつ、装置１Ａを閉じて筐体５の底面部に設けた原稿押さえガラス６にて静止状態に保持される。そして、読取り手段４５が図１に実線で示すホームポジションＰ１から矢印Ａ方向に移動することにより、原稿画像を読み取る。このとき、読取り手段４５は原稿長に対応した位置まで移動し、最大移動長は図１に点線で示す位置Ｐ２である。
【００１８】
詳しくは、通紙ガイド部材２２，２３は、読取り手段４５を保持するセグメント２２ａ，２３ａが他の部分から分離して設けられている。筐体５の底部には、図３に示すように、手前側と奥側に、矢印Ａ方向に沿ってレール６１が設置され、セグメント２２ａ，２３ａはこのレール６１上にスライド自在に搭載されている。さらに、セグメント２２ａ，２３ａはプーリ６２，６３に掛け回したワイヤ６４に固定され、該プーリ６２，６３が図示しない駆動手段（例えば、ステッピングモータ）で回転駆動されることによりワイヤ６４を介してレール６１上を矢印Ａ方向及び逆方向に往復移動する。読取り手段４５はセグメント２２ａ，２３ａと一体的に移動し、矢印Ａ方向への移動時に原稿載置台５０上に手置きされた原稿の画像を読み取る。
【００１９】
このような手置き原稿の読取り時において、読取り手段４５は排紙部３０での矢印Ｂで示す排紙経路と交差する方向に移動して手置き原稿の画像を読み取る。即ち、読取り手段４５は従来の手置き原稿の読取りと同様の移動方向で、かつ、水平に移動して画像を読み取ることができる。また、二つの読取り手段４１，４５は単一の筐体５内に取り付けられているため、画像読取り装置１Ａが全体的に小型になり、コストダウンが達成される。
【００２０】
（第２実施例、図４参照）
図４に、本発明に係る画像読取り装置の第２実施例の概略構成を示す。この画像読取り装置１Ｂは、基本的には前記第１実施例と同様の構成を備えている。異なるのは、画像読取り手段４２が原稿の第２面を読み取る位置に配置され、かつ、画像読取り手段４６が原稿の第１面を読み取る位置に配置されている点である。
【００２１】
さらに、読取り手段４６は原稿載置台５０の面と平行な面に対して１８０°反転可能に設置されるとともに、１８０°反転した状態でホームポジションＰ１から終端位置Ｐ２まで矢印Ａ方向及び逆方向に往復移動可能とされている。このような移動手段は図３に示したプーリ６２，６３とワイヤ６４との組合せ、あるいは、リニアモータなどによって構成することが可能である。
【００２２】
以上の構成において、シートスルー読取り方式では、読取り手段４６をセンサ面が原稿の搬送経路に対面した方向に設定された状態で行われる。給紙トレイ１１上に積載された原稿は、１枚ずつ給送されて搬送ローラ２１によって搬送され、搬送途中において第２面の画像が読取り手段４２によって読み取られ、さらに、第１面の画像が読取り手段４６によって読み取られ、トレイ３２上に排出される。
【００２３】
一方、原稿載置台５０上に手置きされた原稿の画像を読み取る際には、読取り手段４６を１８０°下方に反転させ、ホームポジションＰ１から矢印Ａ方向に移動させる。この場合、原稿は原稿載置台５０上に読み取るべき画像面を上方に向けて載置され、かつ、装置１Ｂを閉じて筐体５の底面部に設けた原稿押さえガラス６にて静止状態に保持される点は前記第１実施例と同様である。そして、読取り手段４６がホームポジションＰ１から矢印Ａ方向に移動することにより、原稿画像を読み取る。
【００２４】
本第２実施例の作用効果は前記第１実施例と同様である。特に、第１実施例と比較すると、通紙ガイド部材２２，２３を分割して移動させる必要がなく、構成の簡略化が図られている。
【００２５】
（他の実施例）
なお、本発明に係る画像読取り装置は前記実施例に限定するものではなく、その要旨の範囲内で種々に変更できる。
【００２６】
例えば、画像読取り装置はＣＣＤラインセンサ以外に他の種類のイメージセンサであってもよい。また、原稿載置台は、複写機本体の天板の一部として構成される以外に、筐体の一部として構成されていてもよい。さらに、原稿搬送経路の構成などは任意である。
【図面の簡単な説明】
【００２７】
【図１】本発明に係る画像読取り装置の第１実施例を示す概略構成図である。
【図２】画像読取り装置の開閉状態を示す斜視図である。
【図３】第１実施例における読取り手段の移動機構を示す斜視図である。
【図４】本発明に係る画像読取り装置の第２実施例を示す概略構成図である。
【符号の説明】
【００２８】
１Ａ，１Ｂ…画像読取り装置
５…筐体
６…原稿押さえガラス
１０…原稿給送部
２０…原稿搬送部
２２，２３…通紙ガイド部材
３０…原稿排紙部
４１，４２，４５，４６…画像読取り手段
５０…原稿載置台
【図１】
2008048190.tif 000003
【図２】
2008048190.tif 000004
【図３】
2008048190.tif 000005
【図４】
2008048190.tif 000006